(57)【要約】      （修正有）【課題】打球音が減衰しやすく、また繰り返し打球したときにも樹脂プレートの異常発生を抑制することができるゴルフクラブヘッドおよびゴルフクラブを提供する。【解決手段】打球面２Ａを有するフェース部２と、フェース部２における打球面２Ａの裏側に位置してフェース部２と接続されているプレート部材３とを備え、プレート部材３は、膜厚が薄い薄肉部と、薄肉部よりも膜厚が厚い厚肉部とを含み、厚肉部には、厚肉部よりも膜厚が薄い溝部が形成されている。【選択図】図２
2015181769.tif 000002
【特許請求の範囲】
【請求項１】
打球面を有するフェース部と、
前記フェース部における前記打球面の裏側に位置して前記フェース部と接続されているプレート部材とを備え、
前記プレート部材は、厚みが相対的に薄い薄肉部と、前記薄肉部よりも厚みが厚い厚肉部とを含み、
前記厚肉部には、前記プレート部材において前記フェース部と接続される側とは反対側の表面に溝部が形成されている、ゴルフクラブヘッド。
【請求項２】
前記プレート部材において、前記溝部は前記フェース部と接続される側に底部を有している、請求項１に記載のゴルフクラブヘッド。
【請求項３】
前記プレート部材において、前記厚肉部は前記薄肉部よりもソール側に設けられている、請求項１または請求項２に記載のゴルフクラブヘッド。
【請求項４】
前記溝部は、前記プレート部材において前記打球面側から見て前記ゴルフクラブヘッドの打撃位置と重なる領域から前記プレート部材のソール側の端部にまで達するように設けられている、請求項３に記載のゴルフクラブヘッド。
【請求項５】
前記プレート部材は、前記フェース部に両面テープおよび接着剤を介して固定されている、請求項１〜請求項４のいずれか１項に記載のゴルフクラブヘッド。
【請求項６】
請求項１〜請求項５のいずれか１項に記載のゴルフクラブヘッドを備える、ゴルフクラブ。
【発明の詳細な説明】
【技術分野】
【０００１】
本発明は、ゴルフクラブヘッドおよびゴルフクラブに関し、特に高反発係数を有するゴルフクラブヘッドおよびゴルフクラブに関する。
【背景技術】
【０００２】
ゴルフクラブヘッドにおいて、打球面を有するフェース部の厚みを薄くする（たとえば３．０ｍｍ以下程度にする）ことが従来から行なわれている。フェース部を薄肉にすることにより、打球時にフェース部がたわみやすくなる。これにより、反発係数が向上し、飛距離が伸びるという効果がある。
【０００３】
しかし、フェース部を薄肉にした場合、一般的に、打球音が大きくなり、かつ減衰しにくくなるという傾向にある。これにより、ゴルファの打感に悪影響を及ぼす場合がある。このため、打球音の減衰手段として、フェース部の裏側に樹脂プレートを設ける技術が知られている。
【０００４】
特開２００５−１３７６３４号公報では、所定の厚みを有するフェース部の打球部の裏面に、所定の厚みを有する樹脂プレートが取り付けられているゴルフクラブヘッドおよびゴルフクラブが記載されている。さらに、樹脂プレートに溝部を設けることにより、樹脂プレートが打球時のフェース部のたわみに追随しやすくなり、繰り返しの打球による樹脂プレートのはがれを抑制することができることが記載されている。
【先行技術文献】
【特許文献】
【０００５】
【特許文献１】特開２００５−１３７６３４号公報
【発明の開示】
【発明が解決しようとする課題】
【０００６】
近年では材料や設計技術などの向上により、従来よりも反発係数（Ｃｏｅｆｆｉｃｉｅｎｔ  Ｏｆ  Ｒｅｓｔｉｔｕｔｉｏｎ；ＣＯＲ）がさらに高いゴルフクラブヘッドが実現されている。このようなゴルフクラブヘッドは打球音も大きくなる。そのため、打球音を小さく抑えてゴルファの打感への影響を低減するには、従来よりも樹脂プレートをより大きく設け、打球音の振動の損失係数を大きくする必要がある。
【０００７】
しかしながら、樹脂プレートを大きくすることにより、樹脂プレートの質量が増すため、ゴルフクラブヘッドの重心設計に影響を及ぼすことになる。また、樹脂プレートを単に大きくして樹脂プレートの剛性を高めると、高反発のゴルフクラブヘッドのフェース部と樹脂プレートとの接着面で剥離や樹脂プレートのクラックなどの異常が生じやすくなる。
【０００８】
本発明は、上記のような課題を解決するためになされたものである。本発明の主たる目的は、打球音が減衰しやすく、また繰り返し打球したときにも樹脂プレートの異常発生を抑制することができるゴルフクラブヘッドおよびゴルフクラブを提供することにある。
【課題を解決するための手段】
【０００９】
本発明に係るゴルフクラブヘッドは、打球面を有するフェース部と、フェース部における打球面の裏側に位置してフェース部と接続されているプレート部材とを備え、プレート部材は、厚みが薄い薄肉部と、薄肉部よりも厚みが厚い厚肉部とを含み、厚肉部には、厚肉部よりも厚みが薄い溝部が形成されている。
【発明の効果】
【００１０】
本発明によれば、打球音が減衰しやすく、また繰り返し打球したときにも樹脂プレートの異常発生を抑制することができるゴルフクラブヘッドおよびゴルフクラブを提供することができる。
【図面の簡単な説明】
【００１１】
【図１】本実施の形態に係るゴルフクラブヘッドを説明するための図である。
【図２】図１中線分ＩＩ−ＩＩにおける断面図である。
【図３】本実施の形態に係るゴルフクラブヘッドのプレート部材を説明するための図である。
【図４】図３中線分ＩＶ−ＩＶにおける断面図である。
【図５】図３中矢印Ｖから見た側面図である。
【図６】本実施の形態に係るゴルフクラブヘッドのプレート部材の変形例を説明するための図である。
【発明を実施するための形態】
【００１２】
以下、図面を参照して、本発明の実施の形態について説明する。なお、以下の図面において同一または相当する部分には同一の参照番号を付しその説明は繰返さない。
【００１３】
図１〜図５を参照して、本実施の形態に係るゴルフクラブヘッド１は、シャフト２０の先端に固定されてゴルフクラブを構成する。ゴルフクラブヘッド１は、フェース部２と、フェース部２の裏側に位置してフェース部２と接続されているプレート部材３とを備える。
【００１４】
フェース部２は、打球面（以下、フェース面という）２Ａを有する。フェース面２Ａは、主として打球することが予定されており、高い反発係数（ＣＯＲ）を有する領域（いわゆるスイートスポットＳＳ）を中央部付近に有している。スイートスポットＳＳでのフェース面２Ａの反発係数は、たとえば０．８０以上であり、０．８２以上であってもよい。
【００１５】
ここで、ゴルフクラブヘッド１の反発係数は、たとえば以下の方法により算出される。具体的には、静止状態のゴルフクラブヘッド（質量：Ｍ）にゴルフボール（質量：ｍ）を衝突させ、ボールの入射速度（フェース面との衝突前のボールの速度）ＶINおよび反射速度（フェース面との衝突後のボールの速度）ＶOUTを計測し、下記数式（１）から算出される。
【００１６】
ＶOUT／ＶIN＝（ｅＭ−ｍ）／（Ｍ＋ｍ）・・・・（１）
ゴルフボールとしては、たとえばＡＣＵＳＨＮＥＴ  ＣＯＭＰＡＮＹより販売のＰｉｎｎｎａｃｌｅ  ＧＯＬＤ  ＬＳを約２３℃の室内で保管したものを用い、衝突速度は、たとえば４０．５ｍ／ｓとする。また、フェース面にゴルフボールを衝突させる際に、正面へのはね返りを実現させるべく、フェース面の法線方向からボールが衝突するようにクラブヘッドを固定する。計測は７回繰り返し、上下の値をカットした５回分の平均により算出する。
【００１７】
フェース面２Ａは、ゴルフクラブを構えたときに、接地面と接する側の端部に位置するソール部５から鉛直方向上方の端部に位置するトップエッジ部６まで延びている。スイートスポットＳＳは、ゴルフクラブヘッド１の重心からフェース面２Ａに垂直に下ろした線とフェース面２Ａとの交点である。また、打撃位置ＨＰは、トゥヒール方向におけるスコアラインセンター上であって、リーティングエッジ（フェース面２Ａのソール部５側に位置する端部）からフェース面２Ａに沿って１５ｍｍ上側の場所に位置する点を中心とする半径１０ｍｍの円内と定義される。
【００１８】
フェース面２Ａは、たとえば１つの平面で構成されている。フェース面２Ａの裏側に位置するフェースバック面２Ｂは、ヒール部１ｈからトゥ部１ｔまでフェース面２Ａと平行に設けられている。つまり、フェースバック面２Ｂが形成されている領域においては、フェース部２の厚みはフェース面２Ａからフェースバック面２Ｂまでの厚みであって、均一に設けられている。
【００１９】
フェース面２Ａ側から見てフェースバック面２Ｂよりも後方にはキャビティ部４が形成されている。キャビティ部４は、フェース部２のソール部５側およびトップエッジ部６側と連なるように形成されている。キャビティ部４内において、プレート部材３はフェース部２と接続されている。
【００２０】
プレート部材３は、平面状に設けられている第１面３Ａを有しており、第１面３Ａとフェースバック面２Ｂとが接着されていることにより、フェース部２と接続されている。第１面３Ａとフェースバック面２Ｂとの接続は、たとえば両面テープ７を用いて接着してもよく、好ましくは両面テープ７に加えて接着剤（図示しない）を用いて接着する。なお、フェースバック面２Ｂと、プレート部材３の第１面３Ａは共に、上述した平面形状に限られず、互いに凹凸を有する形状であってもよい。
【００２１】
プレート部材３の平面形状および寸法は、少なくともプレート部材３においてフェース面２Ａ側から見てゴルフクラブヘッド１の打撃位置ＨＰと重なるように設けられている。プレート部材３の平面形状および寸法は、好ましくはソール部５からトップエッジ部６に至る方向（以下、プレート部材３の短手方向という）の長さよりもヒール部１ｈからトゥ部１ｔに至る方向（以下、プレート部材３の長手方向という）の長さが長い横長形状である。プレート部材３の具体的な平面形状としては、円形状、楕円形状、多角形形状や、これらを組み合わせた形状など、任意の形状とすることができる。
【００２２】
プレート部材３は、第１面３Ａと反対側に位置して曲面状の部分を含む第２面３Ｂをさらに有している。言い換えると、プレート部材３の第１面３Ａと第２面３Ｂとの間の厚みは均一ではなく、プレート部材３は相対的に厚みが薄い薄肉部３１と薄肉部３１よりも厚みの厚い厚肉部３２とを含んでいる。さらに、厚肉部３２においてもその厚みは均一ではない。薄肉部３１と厚肉部３２とは一体として設けられており、薄肉部３１と厚肉部３２との境界より厚肉部３２側に位置する厚肉部３２の厚みは、薄肉部３１の厚みに対してプレート部材３の中央部に向けて徐々に厚くなるように設けられている。つまり、厚肉部３２の厚みは薄肉部３１の厚み超えである範囲において分布を有している。
【００２３】
薄肉部３１の厚みＷ１（図４参照）は、たとえば０．６ｍｍ以上１．４ｍｍ以下であり、好ましくは０．８ｍｍ以上１．２ｍｍ以下である。一方、厚肉部３２の厚みＷ２（図４参照）は、たとえば３．８ｍｍ以上４．６ｍｍ以下であり、好ましくは４．０ｍｍ以上４．４ｍｍ以下である。
【００２４】
プレート部材３において、厚肉部３２は、プレート部材３においてフェース面２Ａ側から見てゴルフクラブヘッド１の打撃位置ＨＰと少なくとも一部が重なるように設けられている。具体的には、プレート部材３の短手方向において、厚肉部３２は薄肉部３１よりもゴルフクラブヘッド１のソール部５側に設けられており、好ましくはプレート部材３のソール部５側の端部に面している。また、プレート部材３の長手方向において、厚肉部３２はプレート部材３の短手方向よりも広い領域に渡って形成されており、たとえばプレート部材３のヒール部１ｈの端部からトゥ部１ｔ側の端部に渡って形成されていてもよい。
【００２５】
このとき、プレート部材３の短手方向における厚肉部３２の幅は、プレート部材３の長手方向において異なるように設けられているのが好ましい。具体的には、厚肉部３２の当該幅は、打撃位置ＨＰの領域において最も長く設けられており、そこからプレート部材３の長手方向におけるヒール部１ｈ側端部およびトゥ部１ｔ側端部に至るまで徐々に短くなるように設けられているのが好ましい。
【００２６】
プレート部材３を構成する主な材料は、打球時におけるフェース部２の振動を減衰させる（振動の損失係数を大きくする）ことができる任意の材料とすればよいが、たとえばＡＢＳ（Ａｃｒｙｌｏｎｉｔｒｉｌｅ  Ｂｕｔａｄｉｅｎｅ  Ｓｔｙｒｅｎｅ）樹脂やエポキシ樹脂である。図４を参照して、プレート部材３は、たとえば厚みの異なる樹脂部９の表面に所定の厚みを有するメッキ層１０が形成された構造を有している。プレート部材３の厚肉部３２は、薄肉部３１よりもＡＢＳ樹脂が厚く設けられている。メッキ層１０を構成する材料は任意のメッキ材料とすればよいが、たとえばニッケル・クロム（ＮｉＣｒ）である。メッキ層１０は第２面３Ｂ上に形成されている限りにおいて、第１面３Ａ上に設けられていてもよいし、第１面３Ａ上に形成されていなくてもよい。第１面３Ａ上にメッキ層１０を形成することにより、フェースバック面２Ｂと第１面３Ａとの接合強度を増すことができる。また、第１面３Ａ上にメッキ層１０を形成しない場合には、製造コストを低く抑えることができる。
【００２７】
厚肉部３２には、第２面３Ｂに溝部８が形成されている。溝部８は、第１面３Ａ側に底部を有している。つまり、厚肉部３２は溝部８において、第１面３Ａと第２面３Ｂとの成す厚みが減じられている。溝部８において第１面３Ａと第２面３Ｂとの成す厚みＷ３（図４参照）は０．６ｍｍ以上１．４ｍｍ以下であり、好ましくは０．８ｍｍ以上１．２ｍｍ以下である。つまり、溝部８におけるプレート部材３の厚みＷ３は、薄肉部３１の厚みＷ１と略同じである。なお、溝部８における底部も、樹脂部９およびメッキ層１０により構成されている。
【００２８】
溝部８は、プレート部材３においてフェース面２Ａ側から見てゴルフクラブヘッド１の打撃位置ＨＰの領域からプレート部材３のソール部５側の端部にまで達するように設けられている。また、溝部８は、トップエッジ部６側において薄肉部３１と厚肉部３２との境界に達していない。
【００２９】
溝部８のヒール部１ｈからトゥ部１ｔに至る方向における幅は、スイートスポットＳＳの幅よりも狭く、たとえば溝部８の頂部より５ｍｍ下方の位置で２．４ｍｍ以下である。溝部８の当該幅は、フェース面２Ａ側から見てスイートスポットＳＳと重なる領域からソール部５側にかけて徐々に拡がるように設けられていてもよい。
【００３０】
図５を参照して、溝部８の側壁と第２面３Ｂとの境界部は面取りされているのが好ましい。このようにすれば、フェース部２のたわみを受けたときに、第２面３Ｂ上に形成されているメッキ層１０にクラック等が発生することを抑制することができる。
【００３１】
本実施の形態に係るゴルフクラブヘッド１を備えるゴルフクラブは、従来のゴルフクラブよりも打球音を効果的に減衰させることができる。
【００３２】
次に、本実施の形態に係るゴルフクラブヘッド１の作用効果について説明する。ゴルフクラブヘッド１において、プレート部材３は厚みが相対的に薄い薄肉部３１と薄肉部３１よりも厚みが厚い厚肉部３２とを含んでいる。これにより、打球時においてフェース部２に生じる振動は厚肉部３２を有するプレート部材３により減衰される。その結果、打球音を小さく、また短くすることができる。特に、高反発係数を有するゴルフクラブヘッド１では、打球時のフェース部２の振幅が大きくなるため、打球音が大きくなり振動も長く続くので、これを効果的に抑制することができる。
【００３３】
さらに、厚肉部３２には、プレート部材３においてフェース部２と接続される側（第１面３Ａ）とは反対側の表面（第２面３Ｂ）に溝部８が形成されている。これにより溝部８はプレート部材３の厚みが薄いため、溝部８において変形しやすくなる。この結果、プレート部材３が打球時のフェース部２のたわみに追随しやすくなるため、繰り返し打球した場合にもプレート部材３がフェースバック面２Ｂから剥離することを抑制することができる。
【００３４】
また、プレート部材３において、溝部８は第１面３Ａ側（フェース部２と接続される側）に底部を有している。言い換えると、第１面３Ａはプレート部材３の全体に渡って１つの平面として設けられているため、プレート部材３においてフェースバック面２Ｂと接続される面積を広く採ることができる。その結果、フェース部２とプレート部材３との接続強度をより強くすることができるため、特に高反発係数を有し打球時のフェース部２の振幅（変位量）が大きいゴルフクラブヘッド１であっても、当該変位を受けてプレート部材３がフェース部２から剥離することを抑制することができる。
【００３５】
また、プレート部材３において、厚肉部３２は薄肉部３１よりもソール部５側に設けられている。このようにすれば、薄肉部３１と厚肉部３２とは同じ材料で構成されているため、厚みの差異は質量の差異となり、プレート部材３の重心位置をプレート部材３の中心部分よりもソール部５側に配置することができる。この結果、ゴルフクラブヘッド１の重心位置をソール部５側に下げることができる。
【００３６】
さらに、溝部８は、プレート部材３においてフェース面２Ａ側から見てゴルフクラブヘッド１のスイートスポットＳＳと重なる領域からプレート部材３のソール部５側の端部にまで達するように設けられている。このようにすれば、溝部８が伸びる方向と交差する方向であるプレート部材３の長手方向の断面の曲げ剛性をより効果的に低減することができるため、プレート部材３は打球時のフェース部２のたわみに追随しやすくなる。その結果、繰り返し打球した場合にもプレート部材３がフェースバック面２Ｂから剥離することを抑制することができる。
【００３７】
さらに、プレート部材３には、トップエッジ部６からソール部５に至る方向での幅よりヒール部１ｈからトゥ部１ｔに至る方向での幅が広くなるように厚肉部３２が形成されている。そのため、打球時において当該方向に広く生じるフェース部２の振動をより効果的に減衰させることができる。さらに、厚肉部３２は、打撃位置ＨＰから離れた領域では打撃位置ＨＰの領域と比べてプレート部材３の短手方向の幅が短く設けられている。さらに、厚肉部３２は、その中心付近からヒール部１ｈに至る方向および該中心付近からトゥ部１ｔに至る方向のそれぞれに沿って、厚みが減少している。そのため、プレート部材３の長手方向の端部はフェース部２のたわみに応じて変形しやすくなり、プレート部材３は打球時のフェース部２のたわみに追随しやすくなる。その結果、繰り返し打球した場合にもプレート部材３がフェースバック面２Ｂから剥離することを抑制することができる。
【００３８】
プレート部材３は、フェース部２に両面テープ７および接着剤を介して固定されている。プレート部材３の第１面３Ａには、樹脂表面に形成されたボイド等に起因して微小な凹凸が形成されている場合がある。このような場合であっても、当該微小な凹凸を接着剤により平坦化させることができるため、第１面３Ａと両面テープ７とを直接または接着剤を介して接着させることができる。そのため、第１面３Ａの全体をフェース部２との接着領域とすることができ、より強固にフェース部２とプレート部材３とを接着させることができる。
【００３９】
本実施の形態に係るゴルフクラブヘッド１において、プレート部材３には溝部８が１つ形成されているが、図６を参照して、複数（たとえば２つ）の溝部８が形成されていてもよい。この場合にも、各溝部８は、厚肉部３２において、フェース面２Ａ側から見て打撃位置ＨＰと重なる領域からソール部５側の端部にまで達するように設けられているのが好ましい。このようにしても、プレート部材３の長手方向の断面の曲げ剛性を低減させることができるため、プレート部材３は打球時のフェース部２のたわみに追随しやすくなる。その結果、繰り返し打球した場合にもプレート部材３がフェースバック面２Ｂから剥離することを抑制することができる。
【００４０】
また、本実施の形態に係るゴルフクラブヘッド１において、溝部８におけるプレート部材３の厚みＷ３は、薄肉部３１の厚みＷ１より薄く設けられていてもよい。このようにしても、プレート部材３の第１面３Ａが広く設けられているため、フェースバック面２Ｂとの接合面積を大きくとることができ、かつフェース部２のたわみに追随しやすくすることができる。
【００４１】
また、本実施の形態に係るゴルフクラブヘッド１において、溝部８は第１面３Ａ側に底部を有しているが、これに限られるものではない。たとえば、溝部８は、第２面３Ｂから第１面３Ａ側までプレート部材３が形成されていない領域として構成されていてもよい。この場合には、第１面３Ａとフェースバック面２Ｂとの接着面積は溝部８の面積分だけ小さくなるため、第１面３Ａとフェースバック面２Ｂとの接着強度は上述した本実施の形態に係るゴルフクラブヘッド１と比べて低下する。また、当該接着強度に問題が無い場合には、溝部８のトップエッジ部６側の端部近傍に応力が集中する。そのため、このようなプレート部材３は反発係数が０．８以下と比較的低いゴルフクラブヘッド１に適用することができる。一方、反発係数が０．８２を超える高いゴルフクラブヘッド１に適用する場合には上述した本実施の形態に係るプレート部材３が好適である。
【００４２】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【産業上の利用可能性】
【００４３】
本発明は、高い反発係数を有するゴルフクラブヘッドおよびゴルフクラブに特に有利に適用される。
【符号の説明】
【００４４】
１  ゴルフクラブヘッド、１ｈ  ヒール部、１ｔ  トゥ部、２  フェース部、２Ａ  フェース面、２Ｂ  フェースバック面、３  プレート部材、３Ａ  第１面、３Ｂ  第２面、４  キャビティ部、５  ソール部、６  トップエッジ部、７  両面テープ、８  溝部、９  樹脂部、１０  メッキ層、２０  シャフト、３１  薄肉部、３２  厚肉部。
【図１】
2015181769.tif 000003
【図２】
2015181769.tif 000004
【図３】
2015181769.tif 000005
【図４】
2015181769.tif 000006
【図５】
2015181769.tif 000007
【図６】
2015181769.tif 000008